(57)【特許請求の範囲】
【請求項１】
被施療者が着座する着座部と背もたれ部とで本体部が構成されて該本体部に被施療者を施療する施療手段を備え、着座した被施療者に高濃度酸素を供給する高濃度酸素供給装置をマッサージ機の本体部の前部下部に設け、高濃度酸素供給装置で生成された高濃度酸素を被施療者に搬送する搬送手段のホース又はダクト又は配管からなる本体を座部の前部に配設し、本体の先端部の吹出し口を突出させ、吹出し口から被施療者の頭部に向けて後方にマッサージ動作が大きい程増大させた供給量の高濃度酸素を吹出すように制御する制御部を備えたマッサージ機において、被施療者の呼吸数を検知するかまたはマッサージ動作の大きさから呼吸数を算出することで呼吸数を求め、前記求めた呼吸数から高濃度酸素供給量を算出することを特徴とするマッサージ機。
【請求項２】
搬送手段に高濃度酸素を搬送する送風装置を設けると共に送風装置の風量を切り換える手段を設け、背もたれ部を座部に対してリクライニング自在に設け、背もたれ部をリクライニングした状態では背もたれ部をリクライニングしていない状態よりも送風装置の風量を多くすることを特徴とする請求項１記載のマッサージ機。
【請求項３】
高濃度酸素を送風する方向を切り換える手段を備えて成ることを特徴とする請求項１又は２記載のマッサージ機。
【請求項４】
高濃度酸素供給装置による高濃度酸素の供給を任意にＯＮ／ＯＦＦする入切手段を備えて成ることを特徴とする請求項１乃至３のいずれか一項に記載のマッサージ機。
【発明の詳細な説明】
【技術分野】
【０００１】
本発明は、施療子による施療に加えて高濃度酸素を人体に供給することで肉体的・精神的な気持ちの良さ（リフレッシュ感）が得られて高いマッサージ効果を得ることができるマッサージ機に関するものである。
【背景技術】
【０００２】
従来より、マッサージ機として被施療者が着座する椅子型のマッサージ機が用いられている。これは、被施療者に施療手段による外的刺激を与えることにより、血行促進・疲労回復・体質改善を図るものである。
【０００３】
この従来のマッサージ機においては、施療手段による外的刺激のみで確かにある程度の血行促進・疲労回復・体質改善という効果が得られるのであるが、更に高いマッサージ効果を得ようとする場合、被施療者の周囲の空気環境が悪いと高いリラックス度が得られず、高いマッサージ効果が得られないものであった。
【０００４】
そこで、清浄空気を被施療者に向けて送出可能なマッサージ機が考えられた（例えば特許文献１参照）。このものにあっては、周囲の空気環境が悪い場所に設置して清浄空気を被施療者に送出することで、被施療者が汚染された空気を吸ってマッサージ効果が低減するのが抑えられるが、そもそもマッサージ効果を更に高めようとするものではなく、清浄空気を送出するだけではマッサージ効果の更なる向上は図れないものであった。
【特許文献１】特開平１１−３３７１１３号公報
【発明の開示】
【発明が解決しようとする課題】
【０００５】
本発明はこのような問題に鑑みてなされたものであり、その目的とするところは、施療手段の外的刺激によるマッサージ（施療）に加えて、高濃度酸素を人体に供給することで肉体的及び精神的な気持ちの良さ（リフレッシュ感）を加味して更なるマッサージ効果の向上を図ることができるマッサージ機を提供することを課題とするものである。
【課題を解決するための手段】
【０００６】
上記課題を解決するために請求項１に係る発明にあっては、被施療者１が着座する着座部２１と背もたれ部２２とで本体部が構成されて該本体部に被施療者１を施療する施療手段を備え、着座した被施療者１に高濃度酸素を供給する高濃度酸素供給装置３をマッサージ機２の本体部の前部下部に設け、高濃度酸素供給装置３で生成された高濃度酸素を被施療者１に搬送する搬送手段４のホース又はダクト又は配管からなる本体４０を座部２１の前端上部に配設し、本体４０の先端部の吹出し口４１を突出させ、吹出し口４１から被施療者１の頭部に向けて後方にマッサージ動作が大きい程増大させた供給量の高濃度酸素を吹出すように制御する制御部を備えたマッサージ機２において、被施療者１の呼吸数を検知するかまたはマッサージ動作の大きさから呼吸数を算出することで呼吸数を求め、前記求めた呼吸数から高濃度酸素供給量を算出することを特徴とするものである。このような構成とすることで、施療手段の外的刺激によるマッサージに加えて、高濃度酸素を人体に供給することで肉体的及び精神的な気持ちの良さ（リフレッシュ感）を加味することができる。また、マッサージ動作の増大に伴って供給する酸素量を増大させることができ、被施療者のリフレッシュ効果を向上させることができる。
また、請求項２の発明は、請求項１の発明において、搬送手段４に高濃度酸素を搬送する送風装置６を設けると共に送風装置６の風量を切り換える手段を設け、背もたれ部２２を座部２１に対してリクライニング自在に設け、背もたれ部２２をリクライニングした状態では背もたれ部２２をリクライニングしていない状態よりも送風装置６の風量を多くすることを特徴とするものである。このような構成とすることで、背もたれ部２２をリクライニングしているか否かに拘わらず所定量の高濃度酸素を被施療者１に対して安定的に供給することが可能となる。
【０００９】
また、請求項３の発明は、請求項１又は２の発明において、高濃度酸素を送風する方向を切り換える手段を備えて成ることを特徴とするものである。このような構成とすることで、被施療者１が着座した時に頭部１１がどの位置にあっても、被施療者１の頭部１１の位置に向けて高濃度酸素を送風することが可能となる。
【００１０】
また、請求項４の発明は、請求項１乃至３のいずれか一項の発明において、高濃度酸素供給装置３による高濃度酸素の供給を任意にＯＮ／ＯＦＦする入切手段を備えて成ることを特徴とするものである。このように、マッサージ動作のためのスイッチとは独立して高濃度酸素供給のスイッチを設けたことで、マッサージ動作を行わない時でも高濃度酸素の供給のみを独立して行うことができ、マッサージを行わないリラックスチェアとして利用することができる。
【発明の効果】
【００１２】
本発明にあっては、施療子の外的刺激によるマッサージに加えて、高濃度酸素を人体に供給することで肉体的及び精神的な気持ちの良さ（リフレッシュ感）を加味してマッサージの外的効果及び安定的な内的効果を相乗し、心身共の所望のリラックス度を向上して更なるマッサージ効果の向上を図ることができる。
【発明を実施するための最良の形態】
【００１３】
以下、添付図面に基づいて本発明の実施の形態について説明する。
【００１４】
マッサージ機２は、図１に示すように、被施療者１が着座する座部２１と、座部２１の後端部にリクライニング自在に設けた背もたれ部２２とで本体部が構成され、座部２１の両側には肘掛け部２３が設けてある。この本体部（即ち座部２１と背もたれ部２２のいずれか又は両方）には、図示しないが施療子や揉み玉等を駆動手段により駆動して外的刺激による施療（マッサージ）を被施療者に対して行う施療手段が設けてある。
【００１５】
マッサージ機２には高濃度酸素供給装置３が設けられる。高濃度酸素供給装置３は、例えば酸素富化膜を用いて高濃度酸素を含有する空気（以下、単に高濃度酸素という）を生成する方法、あるいは、粉末酸素剤を化学反応させて酸素を生成して高濃度酸素を生成する方法、等にて高濃度酸素を生成・供給するものである。
【００１６】
酸素富化膜を用いる方法の場合、図６（ａ）に示すように、高濃度酸素供給装置３内で、ポンプ９１で通常の空気イを搬送して酸素富化膜９２を通して高濃度酸素ロを生成し、これをファン９３で送風するものである。また、粉末酸素剤を用いるものの場合、図６（ｂ）に示すように、粉末剤９４と粉末剤９５とを混合して高濃度酸素ロを生成するものである。なお、高濃度酸素供給装置３における高濃度酸素の生成方法についてはこれらに限定されない。
【００１７】
そして、この高濃度酸素供給装置３に搬送手段４が接続される。搬送手段４は、高濃度酸素供給装置３で生成された高濃度酸素を被施療者１に搬送するためのもので、ホースやダクトや配管で本体４０が構成され、本体４０の一端部が高濃度酸素供給装置３に接続されるとともに他端部が被施療者１に向けて高濃度酸素を吹出す吹出し口４１となっている。本実施形態では、本体４０の他端部に高濃度酸素を被施療者１に送風する方向を切り換える手段としての吹出しケース４２を設けるとともにこの吹出しケース４２の開口を吹出し口４１としてあり、吹出しケース４２内の流路に高濃度酸素を搬送するための送風装置６が設けてある。なお、送風装置６は本実施形態とは異なって搬送手段４の本体４０内のいずれかの部分に配設してあってもよい。
【００１８】
吹出しケース４２は略筒形の殻状のもので、本体４０に接続される上流側の開口（特に図示せず）と、高濃度酸素を被施療者１に向けて送風するための下流側の開口を有し、この下流側の開口を吹出し口４１としてある。そして、吹出しケース４２内にファン等からなる送風装置６が設けてあり、この送風装置６をモータ等の駆動手段（図示せず）によって駆動することで、高濃度酸素を高濃度酸素供給装置３から搬送手段４を介して被施療者１に送風する。
【００１９】
このように、本発明のマッサージ機にあっては、座部２１に着座した被施療者１に高濃度酸素を供給する高濃度酸素供給装置３を備えていて、施療手段による外的刺激のマッサージによる身体的なリラックス効果に加えて、高濃度酸素供給装置３から高濃度酸素を人体に向けて供給することができて、高濃度酸素を体内に良好に吸収することが可能となり、身体の血中酸素が増加し、身体の酸素利用が向上し、疲労を回復し、自律神経においては機能を沈静化させる等のさまざまな身体内部に対する高濃度酸素に起因する良好な作用を得ることができるのであり、このように、マッサージの外的効果及び安定的な内的効果の相乗により、心身共の所望のリラックス度を確実に得ることができるのである。
【００２０】
高濃度酸素供給装置３の配置位置は、図１に示す実施例においては、マッサージ機２の本体部の後部下部に設け、搬送手段４の本体４０の上流半部を背もたれ部２２の内部の上下中央部近傍にまで配設するとともに、本体４０の下流半部を背もたれ部２２から前方に突出して被施療者１の頭部の前方部に吹出しケース４２及びその吹出し口４１を配設して被施療者１に対して高濃度酸素を吹出すようにしている。また、図２に示す実施例においては、高濃度酸素供給装置３をマッサージ機２の本体部の後部下部に設け、搬送手段４の本体４０を背もたれ部２２の上端部近傍にまで配設してその端部に吹出しケース４２を取り付けて吹出し口４１を配設し、被施療者１の後頭部に位置する吹出し口４１から高濃度酸素を吹出すようにしている。また、図３に示す実施例においては、高濃度酸素供給装置３をマッサージ機２の本体部の前部下部に設け、搬送手段４の本体４０を座部２１の前端上部にまで配設してその端部の吹出し口４１を突出させ、吹出し口４１から被施療者１の頭部に向けて後方に高濃度酸素を吹出すようにしている。
【００２１】
また、図５に示す実施例では、被施療者１の少なくとも頭部１１を囲ってその内部に高濃度酸素を充填可能な囲い部５を配設し、搬送手段４に高濃度酸素を被施療者１に向けて送風するための送風装置６を配設してある。囲い部５としては、ビニルや布や樹脂等からなるフードや、略箱状の定形物等、略密閉可能であれば特に限定されない。また囲い部５は、被施療者１の頭部１１だけでなく、上半身又は全身等を囲うものであってもよい。これにより、被施療者１に高濃度酸素を効率よく供給することができる。
【００２２】
また、図７に示す実施例では、送風装置６は、風量を切り換える手段（図示せず）を備えている。風量を切り換える手段は、電子回路等からなる制御部によって送風装置６のファンの回転数を変更したりするものである。なお、高濃度酸素供給装置３及び搬送手段４は図３に示す実施例と同様である。
【００２３】
この時、図７（ａ）に示すように背もたれ部２２をリクライニングせず被施療者１が着座した状態では、吹出し口４１から被施療者１の頭部までの距離が近いため風量が少なくても所定量の高濃度酸素が被施療者１に供給され、図７（ｂ）に示すように背もたれ部２２をリクライニングして被施療者１が横になった状態では、吹出し口４１から被施療者１の頭部までの距離が遠いため風量を多くして所定量の高濃度酸素が被施療者１に供給されるようにするものである。図８において、縦軸は被施療者１に到達する高濃度酸素の到達量を示し、Ａは背もたれ部２２をリクライニングせず風量を少なくした状態での高濃度酸素の到達量を示し、Ｂは背もたれ部２２をリクライニングして風量を少ないままにした状態での高濃度酸素の到達量を示し、Ｃは背もたれ部２２をリクライニングして風量を多くした状態での高濃度酸素の到達量を示す。
【００２４】
このようにすることで、背もたれ部２２をリクライニングしているか否かに拘わらず所定量の高濃度酸素を被施療者１に対して安定的に供給することが可能となる。
【００２５】
次に、図９に基づいて他の実施例について説明する。本実施例の高濃度酸素供給装置３は図９（ａ）に示すように略筒形の殻状をしたもので、内部に送風装置（図示せず）が設けてあり、図９（ｂ）に示すように肘掛け部２３に固定した基部７に対して任意の向きに設定自在に設けてある。これは、図９（ｃ）に示すように、基部７と高濃度酸素供給装置３のいずれか一方にボール部を設けるとともに他方にボール受け部を設け（本実施形態では基部７にボール部Ｂを設けるとともに高濃度酸素供給装置３にボール受け部Ｕを設け）、ボール受け部Ｕから締め付けネジ８を締め付けてボール部Ｂとボール受け部Ｕとの固定を行うことで、基部７に対する高濃度酸素供給装置３の向きを任意に設定自在とするものである。
【００２６】
このようにすることで、被施療者１が大人又は子供、大柄な人又は小柄な人等、被施療者１が着座した時に頭部１１がどの位置にあっても、被施療者１の頭部１１の位置に向けて高濃度酸素を送風することが可能となる。
【００２７】
なお、図１及び図２の実施例において、図９に示す実施例と同様にボール部とボール受け部とを搬送手段４の本体４０と吹出しケース４２に設け、吹出しケース４２を本体４０に対して任意の向きに固定自在としてもよい。
【００２８】
また、図１０に示す実施例では、高濃度酸素供給装置３による高濃度酸素の供給を任意にＯＮ／ＯＦＦする入切手段を備えている。
【００２９】
具体的には、上述したいずれかの実施例において、マッサージのＯＮ／ＯＦＦ等の入力スイッチＳＷ１および、高濃度酸素供給装置３による高濃度酸素の供給を任意にＯＮ／ＯＦＦするスイッチＳＷ２を備えたリモコンＲを設けるものである。リモコンＲからの入力信号は制御部によって処理されて所定の動作が行われる。
【００３０】
このように、マッサージ動作のためのスイッチとは独立して高濃度酸素供給のスイッチを設けたことで、マッサージ動作を行わない時でも高濃度酸素の供給のみを独立して行うことができ、マッサージを行わないリラックスチェアとして利用することができる。
【００３１】
また、図１１乃至図１３に示す実施例では、高濃度酸素供給装置３の高濃度酸素の供給量をマッサージ動作が大きい程増大させる制御部を備えている。
【００３２】
マッサージ動作が大きくなる即ち、もみ機（施療子）動作速度が大きい程、被施療者に負荷がかかって被施療者の呼吸数および必要とする酸素量が増大し（図１１の実線）、これに伴って被施療者の周辺酸素量が減少するため（図１１の破線）。そこで、図１２に示すように、被施療者の呼吸数を検知するとともにマッサージ機のマッサージ動作の大きさを検知し、制御部がこれらの情報をもとに高濃度酸素供給装置３の高濃度酸素の供給量を増大させるものである。これにより図１３に示すように、被施療者の呼吸数に応じて必要供給酸素量が増大し（図１３の実線）、これに伴って被施療者の周辺酸素量が減少するが（図１３の破線）、高濃度酸素を供給して補うことで一定の酸素量（図１３の太線）が確保可能となる。
【００３３】
またこの時、被施療者の呼吸数を検知する方法としては、被施療者に電極等を取付けて直接検知する方法か、マッサージ動作の大きさから算出する方法等が挙げられる。マッサージ動作の大きさから算出する場合、例えば、
呼吸数＝ｋ×施療子によるもみ回数（回／分）    （但しｋは比例定数）
として算出したり、あるいは、施療子によるもみ回数２０（回／分）で呼吸数６０（回／分）、施療子によるもみ回数３０（回／分）で呼吸数７０（回／分）というようにテーブルを予め作成しておいてこれに基づいて算出してもよい。
【００３４】
また、供給する高濃度酸素量については、
高濃度酸素供給量＝確保する酸素量−（呼吸数×Ｍ）    （但しＭは比例定数）
というような算出式により算出するか、あるいは予めテーブルを作成しておいてこれに基づいて算出してもよい。
【００３５】
これにより、マッサージ動作の増大に伴って、被施療者の呼吸数が増大して必要とする酸素量を増大させることができ、周辺環境に左右されることなく被施療者の周辺酸素量を快適酸素量に保つことも可能となり、被施療者のリフレッシュ効果を向上させることができる。
【図面の簡単な説明】
【００３６】
【図１】本発明の一実施形態の構成図である。
【図２】本発明の他の実施例の構成図である。
【図３】本発明の更に他の実施例の構成図である。
【図４】送風装置の説明図である。
【図５】本発明の更に他の実施例の構成図である。
【図６】（ａ）（ｂ）は高濃度酸素の生成方法を説明する説明図である。
【図７】本発明の更に他の実施例を示し、（ａ）は背もたれ部をリクライニングしていない状態の説明図であり、（ｂ）は背もたれ部をリクライニングした状態の説明図である。
【図８】同上の実施例における被施療者への高濃度酸素の到達量を示す説明図である。
【図９】本発明の更に他の実施例を示し、（ａ）は全体説明図であり、（ｂ）は高濃度酸素供給装置の基部に対する取り付けについての説明図であり、（ｃ）は（ｂ）の取り付けの詳細説明図である。
【図１０】本発明の更に他の実施例におけるリモコンの説明図である。
【図１１】本発明の更に他の実施例におけるマッサージ機の動作速度と、被施療者呼吸数および被施療者の周辺酸素量の関係図である。
【図１２】同上の実施例における高濃度酸素発生装置へのフィードバックの説明図である。
【図１３】同上の実施例における被施療者呼吸数と、被施療者の周辺酸素量および必要酸素量の関係図である。
【符号の説明】
【００３７】
１    被施療者
２１  着座部
２２  背もたれ部
２    マッサージ機
３    高濃度酸素供給装置
【図１】
0004654606.tif 000002
【図２】
0004654606.tif 000003
【図３】
0004654606.tif 000004
【図４】
0004654606.tif 000005
【図５】
0004654606.tif 000006
【図６】
0004654606.tif 000007
【図７】
0004654606.tif 000008
【図８】
0004654606.tif 000009
【図９】
0004654606.tif 000010
【図１０】
0004654606.tif 000011
【図１１】
0004654606.tif 000012
【図１２】
0004654606.tif 000013
【図１３】
0004654606.tif 000014